(57)【要約】【課題】既存の建物に対して、新たな浴室を形成することなく、室内空間を利用して、介護用浴槽を設置するに十分な防水性を備えた浴室空間を簡易に構成する。【解決手段】介護用浴槽が載る底板と、底板の周縁に沿って立設される側壁と、底板を建物室内の床面上に支持する架台とにより、既存の建物の室内に介護用浴槽を設置する浴室空間を構成する。底板には室外から底板下方に引き入れられる給水管、給湯管及び排水管の接続口を設け、側壁には被介護者搬送手段が通過可能な幅の開口部が設け、この開口部に被介護者搬送手段を室内床面から底板上に乗り入れるための段差解消手段を設置する。【選択図】  図６
2005052247.tif 000002
【特許請求の範囲】
【請求項１】
介護用浴槽を既存建物の室内に設置するための介護用浴室構成システムであって、介護用浴槽が載る底板と、底板の周縁に沿って立設される側壁と、底板を建物室内の床面上で適宜な高さに支持する架台とを備え、前記底板には室外から底板下方に引き入れられる給水管、給湯管及び排水管の接続口がそれぞれ設けられ、前記側壁には被介護者搬送手段が通過可能な幅の開口部が設けられているとともに、この開口部には前記被介護者搬送手段を室内床面から底板上に乗り入れるための段差解消手段が設けられており、既存建物の室内で組み立て設置されることを特徴とする介護用浴室構成システム。
【請求項２】
請求項１に記載の介護用浴室構成システムにおいて、段差解消手段として、室内床面と底板との段差間で被介護者搬送手段を昇降する電動式昇降機が設置されていることを特徴とする介護用浴室構成システム。
【請求項３】
側壁上部に手摺を設けたことを特徴とする請求項１又は２に記載の介護用浴室構成システム。
【請求項４】
介護用浴槽等のための電源供給配管接続口、介護者用の洗面台、浴室洗浄用の給水設備の少なくとも一つを備えたことを特徴とする請求項１〜３の何れかに記載の介護用浴室構成システム。
【請求項５】
底板と側壁は、周辺にフランジを有する合成樹脂製或いはステンレス製の複数枚の単位パネルを連結して構成されていることを特徴とする請求項１〜４の何れかに記載の介護用浴室構成システム。
【請求項６】
ＦＲＰ製の単位パネルを用いて構成されていることを特徴とする請求項５に記載の介護用浴室構成システム。
【請求項７】
単位パネルの接続は、単位パネルのフランジ同士をパッキン材を挟んで接合し、ボルトなどの固着手段によって連結して行われることを特徴とする請求項１〜６の何れかに記載の介護用浴室構成システム。
【発明の詳細な説明】
【技術分野】
【０００１】
本発明は、高齢者や障害者などの日常生活を営むのに支障がある者が入浴するための介護用浴槽を、既存建物の室内空間に設置できるように構成されたシステムに関する。
【背景技術】
【０００２】
社会全体が急速に高齢化への一途をたどっている現在、老人保険施設や病院などでも介護の質の向上が問われるようになってきている。介護施設や介護機器においては、高齢者や障害者などの介護を受ける者（以下、被介護者という）に対する介護の内容だけでなく、介護者又は介助者（以下、介護者等という）が如何に介護をしやすいか、負担とならずに介助がでできるかなどの、施設や機器を利用して介護を受ける者と介護又は介助する者の双方への配慮が同時に要求されている。
このような観点から、歩行が困難な寝たきりの被介護者でも無理な姿勢をとらずに入浴可能であり、介護者等にとっても介助労力の軽減を図ることができる介護用の機械浴装置を導入し、利用する施設が増加している。
【０００３】
なお、従来の一般の家屋の浴室としては、防水床パン上に浴槽を設置して構成するものが知られている（例えば特許文献1）。
【０００４】
【特許文献１】特開平２００３−６４７４８号公報
【発明の開示】
【発明が解決しようとする課題】
【０００５】
介護用の機械浴装置には、被介護者が寝たまま入浴する順送式臥位機械浴や座ったまま入浴する座位機械浴などがあるが、何れのものも一般家庭で使用される浴槽よりも大型であり、装置の据え付けには広い設置スペースを必要とする。
従来、既存の介護施設において機械浴装置を設置する場合に、設置場所は浴室の洗い場スペースや特別に防水処理を施した部屋に限られており、そのため、浴室や前記部屋内に装置を設置する十分なスペースがないときは、装置を設置できなかったり、設置スペースの制限上、設置できる装置が限定されて本来の介護目的に合った機械浴装置を導入できなかったりするという問題があった。
【０００６】
また、近時、既存の老人介護施設の内、例えば浴室を1階、療養棟を２階というように浴室と療養室を別フロアに設けて建てられた施設においては、被介護者が両室間をスムーズに移動できず、移動を補助する介護者等にも大きな負担がかかるという問題点が指摘されている。
このような施設では、療養室と同じフロアにも浴室を作ることで問題点を解消可能であるが、防水性を確保した浴室を新たに施工するには費用がかかる上、新旧両浴室の維持や保守にも手間や費用を要し、また、新たに浴室を作ると別フロアの旧浴室が利用されないこととなって旧浴室の設備が無駄に帰する等の理由から問題点解消のための方策は講じられていないのが実状である。
【０００７】
本発明は従来技術の有するこのような問題点に鑑み、既存の建物に対して、新たな浴室を形成することなく、建物内の室内空間を利用して、介護用浴槽を設置するに十分な防水性を備えた浴室空間を簡易に構成できるようにすることを課題とする。
【課題を解決するための手段】
【０００８】
前記課題を解決するため本発明の介護用浴室構成システムは、介護用浴槽を既存建物の室内に設置するためのシステムであって、介護用浴槽が載る底板と、底板の周縁に沿って立設される側壁と、底板を建物室内の床面上で適宜な高さに支持する架台とを備え、前記底板には室外から底板下方に引き入れられる給水管、給湯管及び排水管の接続口がそれぞれ設けられ、前記側壁には被介護者搬送手段が通過可能な幅の開口部が設けられているとともに、この開口部には前記被介護者搬送手段を室内床面から底板上に乗り入れるための段差解消手段が設けられており、既存建物の室内で組み立て設置されることを特徴とする。
【０００９】
前記構成の介護用浴室構成システムは、段差解消手段として、室内床面と底板との段差間で被介護者搬送手段を昇降する電動式昇降機を設置して構成することができる。
【００１０】
底板上面及び側壁内面は濡れて滑り易く、介護者などが転倒しないようにするため、側壁上部には手摺を設けることができる。この手摺は、側壁の歪みを防止するため、側壁の上面全周に側壁と一体に設けてあることが好ましい。
【００１１】
また、介護用浴槽等のための電源供給配管接続口、介護者等が利用するための洗面台、浴室洗浄用のシャワーなどの給水設備の少なくとも一つを備えて構成することができる。
【００１２】
また、前記構成の介護用浴室構成システムは、底板と側壁を、周辺にフランジを有する合成樹脂製或いはステンレス製の複数枚の単位パネルを組み合わせ、互いに連結して構成することができる。合成樹脂製の単位パネルとしてはＦＲＰ製のものが好ましい。
【００１３】
前記単位板の接続は、単位板のフランジ同士をパッキン材を挟んで接合し、ボルトなどの固着手段によって連結して行うことにより、浴室から室内床面への防水を確実なものとすることができる。
なお、パッキン材は、ゴム製や塩化ビニル樹脂、発泡樹脂などの密着性及び耐水性に優れた適宜な素材のものを用いることができる。
【発明の効果】
【００１４】
本発明の介護用浴室構成システムによれば、既存建物の室内に浴室空間を簡易に構成することが可能である。また、浴室空間を画成する底板及び側壁を複数枚の単位パネルを連結して構成することにより、室内の利用可能な空間や使用する介護用浴槽の形態、その他の設置条件に応じて、浴室空間を適宜な大きさ及び形状に形成することが可能となり、浴室構成のフレキシビリティに富むとともに、パネル同士を接続するという簡単な作業で浴室を形成でき、工事の手間がかからず、安価且つ迅速に施工可能である。
【発明を実施するための最良の形態】
【００１５】
本発明の好適な実施形態を図面を参照して説明する。
図１は本発明の介護用浴室構成システムの一実施形態の平面図（Ａ）と側壁開口部側の側面図（B）、図２は架台により室内床面上に支持された底板と側壁の連結部を拡大して示した図、図３は底板と側壁を構成する単位パネルの正面図（Ａ）と半面を破断して示した端面図（B）、図４は底板の単位パネル同士と架台の連結部分の断面を拡大して示した図、図５は図１の介護用浴室構成システムに介護用浴槽を設置した状態の平面図、図６は側壁開口部に電動式昇降機を設置した介護用浴室構成システムの他の実施形態の外観図、図７は電動昇降機の正面図である。
【００１６】
図１〜図５に示される本発明の介護用浴室構成システム１は、介護用浴槽Bが載る底板２と、底板２の周縁に沿って立設される側壁３と、底板２を建物室内の床面F上に支持する架台４とにより、既存の建物の室内に介護用浴槽Bを設置する浴室空間を構成している。
【００１７】
底板２は、非透水性の平面板であり、介護用浴槽Bとストレッチャーや車椅子等の被介護者搬送手段Tを並べて載せることができ、且つ介護用浴槽Bの周囲に介護者等が被介護者の入浴を介助することのできるスペースを確保した広さに形成されている。
【００１８】
側壁３は、同じく非透水性の平面板を、底板２を包囲するように底板２の周縁に沿って鉛直に配し、底板２の縁部に一体に接続して設置されている。
【００１９】
これら底板２と側壁３は、合成樹脂製、好ましくはＦＲＰ製又はステンレス製の複数枚の単位パネル５を組み合わせ、互い連結して構成されている。
【００２０】
詳しくは、図３に示されるように、単位パネル５は、矩形のパネル本体５ａの周辺にフランジ５ｂを一体に設けて形成されており、単位パネル５、５同士でフランジ５ｂ、５ｂを互いに接合し、両フランジ５ｂ、５ｂに形成された通孔５ｃ、５ｃにボルト６を通し、ナット７で締め付けて一体に接続できるようになっている。
底板２と側壁３を構成するにあたっては、例えば短手辺と長手辺の寸法が５００ｍｍ単位で異なる種々のサイズの単位パネル５を各サイズ毎複数枚準備し、浴室を構成するのに必要な面積に応じて、同寸の或いはサイズの異なる単位パネル５同士を組み合わせ、底板２と側壁３を所望の形状及び広さに形成できるようになっている。
図１〜図５に示された形態では、底板２が５００ｍｍ×１０００ｍｍのサイズのパネルと５００ｍｍ×２０００ｍｍのサイズのパネル、側壁３が５００ｍｍ×１０００ｍｍのサイズのパネルをそれぞれ複数枚組み合わせ、隣接する単位パネル５、５同士を互いに一体に接続して構成してある。
また、各単位パネル５、５同士の接続は、図４に示されるように、単位パネル５、５のフランジ５ａ、５ａ同士をゴムパッキン８を挟んで接合し、一側のフランジ５ｂの通孔５ｃから挿通したボルト６をゴムパッキン８を貫通させて他側のフランジ５ｂの通孔５ｃへと通し、当該フランジ側でナット７締めして行われ、パネル接合部は浴室内から外部への漏水を確実に防止する水密構造としてある。
【００２１】
架台４は、コ字状断面を有する複数の長尺鋼材を底板２の下面に適宜な間隔で設置してなり、介護用浴槽B等の諸設備が設置される底板２を床面F上で適宜な高さに支持するように設けてある。架台４は、図２及び図４に示されるように、アングル材９を介して底板２と側壁３の単位パネル５にそれぞれ一体に連結されている。また、図１に示されるように、底板２の介護用浴槽Bが設置される位置の直下には、介護用浴槽Bの重量に耐えるべく、床面Fと底板２の間隙に補強架台１０が設置されている。
【００２２】
また、図１に示されるように、底板２には、室外から架台４の配置間隙を縫って底板２の下方に引き入れられる給水配管WPと給湯配管HPの両配管の接続口１１、１２が設けられており、両接続口を通じて水とお湯を介護用浴槽Bに供給することができるようになっている。
また、底板２には、同じく室外から底板２の下方に引き入れられる電源供給配管EPの接続口１３が設けられており、底板２上に設置される介護用浴槽Bやその他の電気設備に電源供給することができるようになっている。
さらに、底板２には、介護用浴槽Bの排水用接続口１４と底板上面に開口した排水口１５、１５が設けられており、浴用の排水と浴槽や浴室の洗浄などで底板２上に零れた排水をこれら排水口から底板２の下方に引き入れられた排水管DPに流下し、浴室内の排水処理をスムーズに行えるようになっている。
底板２の上面には介護用浴槽Bを固定するためのアンカーボルト１６を埋め込んである。
【００２３】
また、図１及び図２に示されるように、側壁２の一面には被介護者搬送手段Tが通過可能な２ｍ程度の幅の開口部１７が設けられているとともに、この開口部１７には底板２から緩やかに傾斜して室内床面Fまで伸びた、床面Fと底板２との段差を解消する手段としてのスロープ台１８が設置されており、被介護者搬送手段Tを室内床面Fからスロープ台１８を介して底板２上にスムーズに乗り入れることができるようになっている。
側壁２の各辺の上部は、側壁２が歪まないように各単位パネル５のフランジ５bと略同幅の長尺鋼板１９によって一体に連結されており（図６参照）、さらに当該鋼板の上面には、介護者等が浴室内で転倒することを防止するため、ステンレス製の手摺２０を側壁２と一体に突設させてある。
【００２４】
図６及び図７に示した介護用浴室構成システム１は、段差解消手段として、床面Fと底板２との段差間で被介護者搬送手段Tを昇降する電動式昇降機２１を側壁３の開口部１７に設置したものである。
詳しくは、電動式昇降機２１は、両側に手摺２１ａ、２１ａを突設させた支持板２１ｂを、蛇腹状に上下に伸縮する昇降機本体２１ｃで水平に支持してなり、被介護者搬送手段Ｔを支持板２１ｂに載せた状態で、昇降機本体２１ｃを作動させ、被介護者搬送手段Ｔを水平に維持したまま側壁床面Fと底板２との段差間を昇降せしめ、浴室内への乗り入れ及び浴室からの退出を被介護者と介護者等の双方に負担をかけずにスムーズに行えるようになっている。
【００２５】
このように構成された本発明の介護用浴室構成システム１は、建物の室内で前記各構成部材を組み立て設置して浴室空間を簡易に構成可能であり、室外から底板２の下方に引き入れた給水及び給湯用配管WP、HP、排水管DP、電源供給配管EPを各管接続口に接続するとともに、底板２上に介護用浴槽Bを設置して被介護者の入浴に利用することができる。
【００２６】
なお、図示しないが、底板２上には、介護者等が手洗い等する洗面台や、浴室内を洗浄するためのシャワー等の給水設備を設けてもよい。また、浴室内面はＦＲＰ等の合成樹脂製又はステンレス製の均一なパネル面であり、特に表面が濡れているときは滑りやすいことがあるので、底面２上に防滑用のシートを貼ったり滑り止め塗装を施したりしてもよい。浴室への出入口である側壁２の開口部１７に、着脱自在な安全鎖を取り付ければ、浴室から不用意に落下する事故を防止でき、また、利用者に段差があることの啓発ともなって入退出に慎重を期することとなって好ましい。
【００２７】
また、図示した介護用浴室構成システム１の形態は一例であり、本発明は他の適宜な形態で構成可能である。
単位パネル５は矩形以外の適宜な形状及び寸法のものを用いることができ、矩形状の単位パネル５にあっては少なくともその２辺にフランジ５ｂを有するものであればパネル同士の連結が可能である。パネル同士を確実に接続でき且つ接合部の防水が確実であれば、フランジのない単位パネルを用いてもよい。勿論、底板２と側壁３は単位パネルを用いず、適宜な大きなの一枚のパネルにより、或いは任意の形状及び大きさの複数枚のパネルを連結することにより構成することもできる。
浴室内に設置される介護用浴槽は、順送式臥位機械浴や座位機械浴など、その形式、大きさは問わず、種々の形態のものを利用可能である。
【図面の簡単な説明】
【００２８】
【図１】本発明の介護用浴室構成システムの一実施形態の平面図（Ａ）と側壁開口部側の側面図（B）である。
【図２】架台により支持された底板と側壁の連結部を拡大して示した図である。
【図３】底板と側壁を構成する単位パネルの正面図（Ａ）と半面を破断して示した端面図（B）である。
【図４】底板の単位パネル同士と架台の連結部分の断面を拡大して示した図である。
【図５】図１の介護用浴室構成システムに介護用浴槽を設置した状態の平面図である。
【図６】側壁開口部に電動式昇降機を設置した介護用浴室構成システムの他の実施形態の外観図である。
【図７】電動昇降機の正面図である。
【符号の説明】
【００２９】
１  介護用浴室構成システム、２  底板、３  側壁、４  架台、５  単位パネル、６  ボルト、７  ナット、８  ゴムパッキン、９  アングル材、１０  補強架台、１１  給水管接続口、１２  給湯管接続口、１３  電源供給配管接続口、１４  排水用接続口、１５  排水口、１６  アンカーボルト、１７  開口部、１８  スロープ台、１９  長尺鋼板、２０  手摺、２１  電動式昇降機、Ｂ  介護用浴槽、Ｆ  床面、Ｔ  被介護者搬送手段、ＷＰ  給水配管、ＨＰ  給湯配管、ＥＰ  電源供給配管、ＤＰ  排水管
【図１】
2005052247.tif 000003
【図２】
2005052247.tif 000004
【図３】
2005052247.tif 000005
【図４】
2005052247.tif 000006
【図５】
2005052247.tif 000007
【図６】
2005052247.tif 000008
【図７】
2005052247.tif 000009